(57)【要約】【課題】これまで工業的な意匠糸の作製に利用されていない組紐の技術を利用して、毛足の長い毛羽糸や細番手の羊毛糸などを複数本組み合わせて、複雑な意匠性や嵩高性、触感、外観、自然な糸班などを付与したファッション性の高い意匠糸を提供する。【解決手段】意匠糸は、３本以上の糸を互いに交差させることにより作製され、その長手方向に対し各糸が傾斜して配向し、端部で切断されることなく連続している組紐から構成される。この組紐を構成する各糸のうち少なくとも１本以上の糸は、その表面から延出する複数の毛羽を有する毛羽糸であり、組紐における各糸のスパイラルの繰り返し単位である山数は、１〜５山／インチ（２．５４ｃｍ）である。【選択図】図１
2016030867.tif 000002
【特許請求の範囲】
【請求項１】
３本以上の糸を互いに交差させることにより作製され、その長手方向に対し各糸が傾斜して配向し、端部で切断されることなく連続している組紐から構成され、
当該組紐を構成する各糸のうち少なくとも１本以上の糸は、その表面から延出する複数の毛羽を有する毛羽糸であって、
前記組紐における各糸のスパイラルの繰り返し単位である山数は、１〜５山／インチ（２．５４ｃｍ）であることを特徴とする意匠糸。
【請求項２】
前記毛羽糸は、長さ３ｍｍ以上の毛足を有するタム糸、モール糸、ラッセルモールなどの毛足の長い糸であることを特徴とする請求項１に記載の意匠糸。
【請求項３】
前記毛羽糸は、糸の太さが毛番手４８番手〜１２０番手の単糸又は双糸からなる羊毛糸又はアクリル糸であることを特徴とする請求項１に記載の意匠糸。
【請求項４】
前記組紐としての編組後の重量は、０．３ｇ／ｍ〜１．５ｇ／ｍの範囲内であって、その太さは、２ｍｍ〜８ｍｍの範囲内であることを特徴とする請求項１〜３のいずれか１つに記載の意匠糸。
【請求項５】
前記組紐を構成する各糸の太さ、色、素材などの特性のうち少なくとも１つ以上の特性が異なる複数の糸で構成されていることを特徴とする請求項１〜４のいずれか１つに記載の意匠糸。
【請求項６】
動力編機で製編可能な編糸、或いは、動力織機で製織可能な織糸として使用されることを特徴とする請求項１〜５のいずれか１つに記載の意匠糸。
【発明の詳細な説明】
【技術分野】
【０００１】
本発明は、意匠糸に関するものであり、更に詳しくは、軽量で柔軟かつボリューム感がある意匠糸に関するものである。
【背景技術】
【０００２】
従来から多くの意匠糸（「ファンシーヤーン」ともいう）が開発され、多くの織編物に加工されてファッション素材を構成している。これらの意匠糸は、異なる繊維や糸を組み合わせたり、形状や配色に変化を持たせたりした糸の総称であり、織編物に表面変化、風合い効果、装飾効果などを与えることを目的として作製されている。
【０００３】
これらの意匠糸は、主に紡績工程や撚糸工程で作製され、また、長繊維糸に関しては糸表面の単繊維を切断したりする毛羽加工糸なども作製されている。例えば、毛羽糸を製造する方法として、下記特許文献１の起毛糸の加工方法及びその装置や、下記特許文献２のダブルモール糸などが開発されている。
【先行技術文献】
【特許文献】
【０００４】
【特許文献１】特開２００１−４９５４３号公報
【特許文献２】特開平６−９３５２６号公報
【発明の概要】
【発明が解決しようとする課題】
【０００５】
これらの意匠糸は、通常、そのままで経糸、緯糸、編糸として織編物の作製に使用される。しかし、これらの意匠糸を複数本組み合わせることにより、更に複雑な意匠性や嵩高性、触感、外観、自然な糸班を付与したファッション性の高い意匠糸が求められている。例えば、タム糸、モール糸、ラッセルモールなどの毛足の長い毛羽糸を複数本組み合わせることにより、より嵩高性があり、軽く、柔らかく、且つ、暖かい意匠糸を作製することが求められている。また、細番手の羊毛糸を複数本組み合わせることにより、カシミヤやアンゴラなどの獣毛糸に近い嵩高性と感触を有する意匠糸を作製することが求められている。
【０００６】
しかし、毛足の長い毛羽糸を複数本組み合わせたファッション性の高い意匠糸や、細番手の羊毛糸を複数本組み合わせたファッション性の高い意匠糸の作製は容易ではなく、これまで工業的には作製されていない。複数本の毛羽糸を組み合わせて意匠糸を作製する方法としては、例えば、リリヤーン編機による方法が考えられる。しかし、タム糸、モール糸、ラッセルモールなどの毛足の長さが３ｍｍ以上ある毛羽糸を複数本組み合わせてリリヤーン編機で作製することはできなかった。また、毛番手で４８番手より細い羊毛糸は糸強度が弱く、これを複数本組み合わせてリリヤーン編機で作製することはできなかった。
【０００７】
一方、リリヤーン編機の他に複数本の糸を組み合わせた糸を構成する方法として、従来から組紐の技術が利用されてきた。この組紐の技術は、これまで帯締め、アクセサリー、靴紐などの工芸品や小物類、或いは、グランドパッキン、ゴムホースなどを補強する工業用資材の作製に使用されている。しかし、糸強度が弱く、また、長い毛足を多く有する意匠糸を取り扱うことができず、これらファッション性の高い意匠糸を工業的に作製する方法としては利用されていない。
【０００８】
そこで、本発明は、以上のようなことに対処して、これまで工業的な意匠糸の作製に利用されていない組紐の技術を利用して、毛足の長い毛羽糸や細番手の羊毛糸などを複数本組み合わせて、複雑な意匠性や嵩高性、触感、外観、自然な糸班などを付与したファッション性の高い意匠糸を提供することを目的とする。
【課題を解決するための手段】
【０００９】
上記課題の解決にあたり、本発明者は、鋭意研究の結果、工業用資材の作製に使用されている組機（組紐を作製する機械）の糸張力の調整法を改造することにより、糸強度が弱く、長い毛足を多く有する意匠糸を取り扱うことができることを見出し本発明の完成に至った。
【００１０】
即ち、本発明に係る意匠糸は、請求項１の記載によると、
３本以上の糸を互いに交差させることにより作製され、その長手方向に対し各糸が傾斜して配向し、端部で切断されることなく連続している組紐から構成され、
当該組紐を構成する各糸のうち少なくとも１本以上の糸は、その表面から延出する複数の毛羽を有する毛羽糸であって、
前記組紐における各糸のスパイラルの繰り返し単位である山数は、１〜５山／インチ（２．５４ｃｍ）であることを特徴とする。
【００１１】
また、本発明は、請求項２の記載によると、請求項１に記載の意匠糸であって、
前記毛羽糸は、長さ３ｍｍ以上の毛足を有するタム糸、モール糸、ラッセルモールなどの毛足の長い糸であることを特徴とする。
【００１２】
また、本発明は、請求項３の記載によると、請求項１に記載の意匠糸であって、
前記毛羽糸は、糸の太さが毛番手４８番手〜１２０番手の単糸又は双糸からなる羊毛糸又はアクリル糸であることを特徴とする。
【００１３】
また、本発明は、請求項４の記載によると、請求項１〜３のいずれか１つに記載の意匠糸であって、
前記組紐としての編組後の重量は、０．３ｇ／ｍ〜１．５ｇ／ｍの範囲内であって、その太さは、２ｍｍ〜８ｍｍの範囲内であることを特徴とする。
【００１４】
また、本発明は、請求項５の記載によると、請求項１〜４のいずれか１つに記載の意匠糸であって、
前記組紐を構成する各糸の太さ、色、素材などの特性のうち少なくとも１つ以上の特性が異なる複数の糸で構成されていることを特徴とする。
【００１５】
また、本発明は、請求項６の記載によると、請求項１〜５のいずれか１つに記載の意匠糸であって、
動力編機で製編可能な編糸、或いは、動力織機で製織可能な織糸として使用されることを特徴とする。
【発明の効果】
【００１６】
上記請求項１の構成によれば、本発明に係る意匠糸は、３本以上の糸を互いに交差させることにより作製される組紐から構成されている。この組紐においては、その長手方向に対し各糸が傾斜して配向し、端部で切断されることなく連続している。
【００１７】
また、当該組紐を構成する各糸のうち少なくとも１本以上の糸は、その表面から延出する複数の毛羽を有する毛羽糸である。更に、この組紐における各糸のスパイラルの繰り返し単位である山数は、１〜５山／インチ（２．５４ｃｍ）である。
【００１８】
このことにより、上記請求項１の構成においては、これまで工業的な意匠糸の作製に利用されていない組紐の技術を利用して、毛足の長い毛羽を有する毛羽糸などを複数本組み合わせて、複雑な意匠性や嵩高性、触感、外観、自然な糸班などを付与したファッション性の高い意匠糸を提供することができる。
【００１９】
また、上記請求項２の構成によれば、毛羽糸は、長さ３ｍｍ以上の毛足を有するタム糸、モール糸、ラッセルモールなどの毛足の長い糸であってもよい。このことにより、請求項２の構成においては、請求項１の構成と同様の作用効果をより一層達成することができる。
【００２０】
また、上記請求項３の構成によれば、毛羽糸は、糸の太さが毛番手４８番手〜１２０番手の単糸又は双糸からなる羊毛糸又はアクリル糸であってもよい。このことにより、上記請求項３の構成においては、これまで工業的な意匠糸の作製に利用されていない組紐の技術を利用して、細番手の羊毛糸などを複数本組み合わせて、複雑な意匠性や嵩高性、触感、外観、自然な糸班などを付与したファッション性の高い意匠糸を提供することができる。
【００２１】
また、上記請求項４の構成によれば、本発明に係る意匠糸は、組紐としての編組後の重量が０．３ｇ／ｍ〜１．５ｇ／ｍの範囲内であって、その太さが２ｍｍ〜８ｍｍの範囲内であることがよい。このことにより、請求項４の構成においては、請求項１〜３のいずれか１つの構成と同様の作用効果をより一層達成することができる。
【００２２】
また、上記請求項５の構成によれば、本発明に係る意匠糸は、組紐を構成する各糸の太さ、色、素材などの特性のうち少なくとも１つ以上の特性が異なる複数の糸で構成されていてもよい。このことにより、請求項５の構成においては、請求項１〜４のいずれか１つの構成と同様の作用効果をより一層達成することができる。
【００２３】
また、上記請求項６の構成によれば、本発明に係る意匠糸は、動力編機で製編可能な編糸、或いは、動力織機で製織可能な織糸として使用されることがよい。このような編糸或いは織糸は、糸強力が強く動力編機或いは動力織機による工業生産が可能であることを意味する。このことにより、請求項６の構成においては、請求項１〜５のいずれか１つの構成と同様の作用効果をより一層達成することができると共に、より工業的利用を図ることができる。
【００２４】
よって、上記各構成によれば、これまで工業的な意匠糸の作製に利用されていない組紐の技術を利用して、毛足の長い毛羽糸や細番手の羊毛糸などを複数本組み合わせて、複雑な意匠性や嵩高性、触感、外観、自然な糸班などを付与したファッション性の高い意匠糸を提供することができる。
【図面の簡単な説明】
【００２５】
【図１】本実施形態に係る丸打組紐から構成された意匠糸の構造を示す模式図である。
【図２】図１に係る丸打組紐の組機の軌道を示す模式図である。
【発明を実施するための形態】
【００２６】
本発明においては、複数本の糸を組み合わせてファッション性の高い意匠糸を構成する。ここで、糸とは、繊維が長く線状になったものをいい、短繊維糸（紡績糸）、長繊維糸（フィラメント糸）、或いは、スリットヤーン、ラメ糸などであってもよい。また、糸の太さ（番手）、糸を構成する繊維の種類、撚りの有無、単糸又は双糸などの複合糸については、特に制限するものではない。但し、本発明に係る意匠糸の用途が衣料、特にファッション素材を主とすることから、一般に衣料用に使用される糸及び繊維を使用することが好ましい。また、糸の撚りについては無撚り糸を使用するようにしてもよいが、甘撚りの糸を使用することが好ましい。また、甘撚りの糸を使用する場合には、単糸よりも双糸を使用することが好ましい。
【００２７】
繊維の種類としては、例えば、ポリエステル、ナイロン、アクリルなどの合成繊維、アセテートなどの半合成繊維、綿、麻などの天然セルロース系繊維、レーヨン、キュプラ、ポリノジックまたはテンセルなどの再生セルロース系繊維、羊毛、絹などのタンパク繊維などが使用される。これらの繊維は、単独または混紡、混繊など、二種類以上の繊維が任意の割合で混用されていてもよい。
【００２８】
本発明においては、意匠糸を構成するために複数本の糸を使用する。これら複数本の糸は、異なる種類の繊維から構成されるものであってもよく、全ての糸が同じ繊維から構成されるものであってもよい。また、これらの糸は、異なる色彩の糸であってもよく、全ての糸が同じ色彩の糸であってもよい。各糸を構成する繊維の種類又は色彩が異なることにより、よりファッション性の高い意匠糸を構成することができる。
【００２９】
また、本発明においては、意匠糸を構成する糸のうち少なくとも１本以上の糸は、その表面から延出する複数の毛羽を有する毛羽糸を使用する。複数の毛羽を有する毛羽糸を組み合わせてファッション性の高い意匠糸を構成するためには、本発明における組紐による作製が必須となるからである。
【００３０】
また、本発明においては、複数の毛羽を有する毛羽糸としては、例えば、羊毛又はアクリル繊維からなる紡毛糸、合成繊維の長繊維を加工した毛羽加工糸、ループのある糸を後加工でループカットしたタム糸、２本の撚糸の間に巻き付けや他の糸をカットしたモール糸、生地を裁断したラッセルモールなどがある。本発明においては、これらの毛羽糸の中でも、長さ３ｍｍ以上の毛足を有するタム糸、モール糸、ラッセルモールなどの毛足の長い糸を使用することが好ましい。これら毛足の長い毛羽糸を使用することにより、よりファッション性の高い意匠糸を構成することができる。
【００３１】
また、毛羽糸を何本組み合わせるかは、特に制限するものではない。例えば、８本の糸から構成される意匠糸を作製する際に、毛羽糸と無毛羽糸とを組み合わせて使用するようにしてもよく、或いは、８本の糸全てに毛羽糸を使用するようにしてもよい。毛羽糸を使用することにより、よりファッション性の高い意匠糸を構成することができる。
【００３２】
一方、本発明においては、意匠糸を構成する糸として、糸強度の弱い細番手の紡毛糸などを使用することができる。このような糸強度の弱い紡毛糸を複数本組み合わせてファッション性の高い意匠糸を構成するためには、本発明における組紐による作製が必須となるからである。
【００３３】
近年、羊毛糸において極細糸の製造が可能となり、例えば、毛番手４８番手〜１２０番手という細い羊毛糸が製造されている。これらの羊毛糸を使用して軽さと薄さを求めた服地が開発されたが、極細糸であるため織編物に強度がなく、また、擦れに弱くファッション素材としては定着していない。
【００３４】
一般に、羊毛の紡毛糸は綿糸などに比べ伸度が大きく切断強度が弱い。例えば、綿糸３０番手単糸の伸度は６％程度で、切断強度は２９４ｇ程度ある。これに対して、目視にて同程度の太さのある羊毛糸４８番手単糸の伸度は１０％あり、切断強度は９０ｇ程度しかない。このように、羊毛糸は、綿糸に比べて強度が１／３以下と小さい。
【００３５】
そこで、本発明は、このように細く柔軟な羊毛の極細糸を使用して、これを複数本組み合わせた意匠糸を作製することができる。このようにして組み合わせた意匠糸は、カシミヤ糸やアンゴラ糸に匹敵する嵩高性と感触を有している。
【００３６】
また、このようにして作製した意匠糸は、組紐の構成を有するので撚り方向が偏らず、織編物にしたときに撚り戻りによる斜行が生じない。また、複数本の糸が互いに交差しながら組み込まれているので、複雑な意匠性や嵩高性、触感、外観、自然な糸班などを有するファッション性の高い意匠糸を構成することができる。
【００３７】
次に、意匠糸を構成する組紐について説明する。一般に、組紐とは、数本ないし数十本の糸を一定の方式で交差させて組んだ紐のことであり、広義には組物に含まれるが、組物の中で幅の狭いものをいう（「新・繊維総合辞典」繊研新聞社発行）。これに対して、組物とは、３本以上の繊維束を互いに交差させ、これを布地の長手方向に対して左上から右下へ、右上から左下へ傾斜して走らせ、布地の端部で折り返して切断されることなく連続して作られ、平形のものを平打組物、丸形のものを丸打組物、角柱状のものを角打組物という（「新・繊維総合辞典」繊研新聞社発行）。
【００３８】
そこで、本発明においては、上記定義の組物のうち幅の狭い組紐を採用し、３本以上の糸を互いに交差させることにより作製され、その長手方向に対し各糸が傾斜して配向し、端部で切断されることなく連続しているものと定義する。また、本発明においては、組紐として平打組紐、丸打組紐、角打組紐のいずれを採用してもよいが、丸打組紐を採用することが好ましい。丸打組紐は、その断面がほぼ円形であり織編物に使用するときに均一な布帛を作製することができる。
【００３９】
ここで、丸打組紐を例にして本実施形態に係る意匠糸の製造方法について説明する。なお、本発明は、下記の実施形態に限られるものではない。図１は、本実施形態に係る丸打組紐から構成された意匠糸の構造を示す模式図である。図１においては、表面に毛羽Ｆを有する８本の糸Ｙ１〜Ｙ８を互いに交差させることにより作製される意匠糸ＦＹを示している。この意匠糸ＦＹの長手方向（図示上下方向）に対し各糸Ｙ１〜Ｙ８が傾斜して配向し、端部で切断されることなく連続して組紐を形成する。
【００４０】
また、図２は、図１に係る丸打組紐の組機の軌道を示す模式図である。図２において、軌道Ｒの数は２であり、各糸を保持している８本のスピンドルＳ１〜Ｓ８が４本ずつ異なった軌道を異なった方向に移動する。この丸打組紐においては、軌道の中央部に位置するマンドレルＭ（使用しなくてもよい）に各糸Ｙ１〜Ｙ８が左巻きと右巻きに互いに交差して垂直方向に引き上げられながら組紐を形成する。
【００４１】
ここで、スピンドルが具備するボビン（糸巻き）から各糸Ｙ１〜Ｙ８が引き出される際の糸張力（テンション）の調整について説明する。本発明においては、従来の組機で使用されている高張力の糸を使用するものではなく、より意匠性の高い低張力の糸を使用する。従って、スピンドルから引き出す糸の張力を調整するための重錘をより軽量なものとする必要がある。更に、より低張力の糸を使用する場合には、重錘に変えて張力変化を緩和することのできるスプリングを使用するようにする。また、ボビンから糸の引き出しをする際にボビンが上下して張力の急激な変化が生じることに対処するため、従来のボビンに変えて、より小型より軽量のボビンを採用し、更に糸巻量を少なくして対処することができる。
【００４２】
また、本発明においては、組紐として構成された意匠糸において、山数が１〜５山／インチ（２．５４ｃｍ）であることが好ましく、また、１〜３山／インチ（２．５４ｃｍ）であることがより好ましい。この山数とは、組紐を構成する各糸のスパイラルの繰り返し単位のことである。別な言い方をすれば、山数とは、組紐の一方の側面において同一の糸が現れる部分（「山」という）の単位長さ（インチ）当たりの出現数のことをいう。この山数が１〜５山／インチ（２．５４ｃｍ）であることにより、組紐としての意匠糸の構造が安定して織編物用の経糸、緯糸、編糸として工業的に使用できると共に、嵩高性や触感に優れた意匠糸を作製することができる。
【００４３】
また、本発明においては、組紐として構成された意匠糸においては、上述のように、山数が１〜５山／インチ（２．５４ｃｍ）、好ましくは、１〜３山／インチ（２．５４ｃｍ）であることがよい。このことに加えて、編組後の重量が０．３ｇ／ｍ〜１．５ｇ／ｍの範囲内、好ましくは、０．３ｇ／ｍ〜１．０ｇ／ｍの範囲内であって、且つ、その太さ（直径）が２ｍｍ〜８ｍｍの範囲内、好ましくは、３ｍｍ〜８ｍｍであることがよい。このように、山数の少ない緩やかな編組において、更に軽く且つ太い意匠糸を構成することにより、空隙率が高く嵩高性や触感に優れた意匠糸を作製することができる。
【００４４】
以下、本実施形態を各実施例により説明する。
【実施例１】
【００４５】
本実施例１においては、意匠糸を構成する糸として、異色にバラ毛染めした羊毛を紡績した紡毛糸を使用した。使用した羊毛糸は、極細糸であって毛番手４８番手の双糸（２／４８）を８本使用した。意匠糸を作製する組機として、軌道の数が２の丸打組機を使用した（図２参照）。得られた意匠糸ＦＹ１の山数は、２山／インチ（２．５４ｃｍ）であって、その重さは０．４ｇ／ｍ、その太さ（直径）は２ｍｍであった。
【００４６】
この意匠糸ＦＹ１は、各糸の異色感による複雑な外観と共に、嵩高性、柔軟な触感、自然な糸班を有するファッション性の高い意匠糸であった。この意匠糸を使用して動力織機で織物を作製したところ、カシミヤ風の風合いとボリューム感を有する高級織物となった。このことより、本実施例１に係る意匠糸ＦＹ１は、工業的に織編物用の経糸、緯糸、編糸として十分に使用に耐える強度を有していた。
【実施例２】
【００４７】
本実施例２においては、意匠糸を構成する糸として、異なる色彩を有する羊毛繊維からなるタム糸を使用した。このタム糸の毛足は５ｍｍであり、毛番手１３番手の単糸（１／１３）を８本使用した。意匠糸を作製する組機として、上記実施例１と同様に、軌道の数が２の丸打組機を使用した（図２参照）。得られた意匠糸ＦＹ２の山数は、２山／インチ（２．５４ｃｍ）であって、その重さは１．０ｇ／ｍ、その太さ（直径）は６ｍｍであった。
【００４８】
この意匠糸ＦＹ２は、各糸の異色感と長い毛足による複雑な外観と共に、嵩高性、柔軟な触感、自然な糸班を有するファッション性の高い意匠糸であった。この意匠糸を使用して動力織機で織物を作製したところ、柔軟な風合いとボリューム感を有するファッション性の高い織物となった。このことより、本実施例２に係る意匠糸ＦＹ２は、工業的に織編物用の経糸、緯糸、編糸として十分に使用に耐える強度を有していた。
【実施例３】
【００４９】
本実施例３においては、意匠糸を構成する糸として、異なる色彩を有する綿糸を使用した。この綿糸は、表面に多くの毛羽を有する甘撚りの綿番手２０番手の双糸（２０／２）を８本使用した。意匠糸を作製する組機として、上記実施例１と同様に、軌道の数が２の丸打組機を使用した（図２参照）。得られた意匠糸ＦＹ３の山数は、２山／インチ（２．５４ｃｍ）であって、その重さは０．５ｇ／ｍ、その太さ（直径）は２ｍｍであった。
【００５０】
この意匠糸ＦＹ３は、各糸の異色感と綿糸特有の細かい毛羽による複雑な外観と共に、嵩高性、柔軟な触感、自然な糸班を有するファッション性の高い意匠糸であった。この意匠糸を使用して動力織機で織物を作製したところ、柔軟な風合いとボリューム感を有するファッション性の高い織物となった。このことより、本実施例３に係る意匠糸ＦＹ３は、工業的に織編物用の経糸、緯糸、編糸として十分に使用に耐える強度を有していた。
【００５１】
よって、上記各実施例においては、これまで工業的な意匠糸の作製に利用されていない組紐の技術を利用して、毛足の長い毛羽糸や細番手の羊毛糸などを複数本組み合わせて、複雑な意匠性や嵩高性、触感、外観、自然な糸班などを付与したファッション性の高い意匠糸を提供することができる。
【００５２】
なお、本発明の実施にあたり、上記各実施例に限らず次のような種々の変形例が挙げられる。
（１）上記各実施例においては、意匠糸を構成する組紐を丸打組紐として説明したが、これに限るものではなく、平打組紐或いは角打組紐であってもよい。
（２）上記各実施例においては、軌道２の組機を使用したが、これに限るものではなく、軌道の数と組機の種類は任意に選定すればよい。
（３）上記各実施例においては、意匠糸を構成する各糸として、羊毛の紡毛糸（２／４８）、アクリル繊維のタム糸（１／１３）、及び、甘撚りの綿糸（２０／２）を使用したが、これに限るものではなく、他の糸種、他の繊維、或いは、異なる番手の糸を使用するようにしてもよい。
（４）上記各実施例においては、意匠糸を構成する各糸として、８本の糸を使用したが、これに限るものではなく、３本以上の糸であれば何本の糸から構成するようにしてもよい。
（５）上記各実施例においては、意匠糸を構成する各糸として、全て同じ糸を使用したが、これに限るものではなく、２種類、３種類、或いはそれ以上の種類の糸を組み合わせて意匠糸を構成するようにしてもよい。この場合、組み合わせる糸として、スリットヤーンやラメ糸と組み合わせるようにしてもよい。
（６）上記各実施例においては、作製した意匠糸を使用して力織機で織物を作製したが、これに限るものではなく、この意匠糸を使用して工業的な編機による編物を作製するようにしてもよい。
（７）上記各実施例においては、作製した意匠糸を使用して力織機で織物を作製したが、これに限るものではなく、手工芸用の糸として使用するようにしてもよい。この場合には、手編みのショールなど高級感のある布帛を作製することができる。
【符号の説明】
【００５３】
ＦＹ…意匠糸、
Ｙ１〜Ｙ８…糸、
Ｆ…毛羽、
Ｒ…軌道、
Ｓ１〜Ｓ８…スピンドル、
Ｍ…マンドレル。
【図１】
2016030867.tif 000003
【図２】
2016030867.tif 000004